(57)【要約】本願はエアコン室内機及びエアコンを開示する。エアコン室内機は、フレーム及びフレームの後部と接続されているベースを含み、フレームの下部には開口が開設されている筐体と、ベースに取り付けられているとともに開口に露出している風路部品と、風路部品と連通する送風口が開設されている下パネルであって、下パネルの周縁が開口の縁部或いは風路部品と取り外し可能に接続されて、下パネルは送風口において風路部品とねじ接続されている下パネルとを含む。【選択図】図３
2021513044.tif 000002
【特許請求の範囲】
【請求項１】
フレーム及び前記フレームの後部と接続されているベースを含み、前記フレームの下部には開口が開設されている筐体と、
前記ベースに取り付けられているとともに前記開口に露出している風路部品と、
前記風路部品と連通する送風口が開設されている下パネルであって、前記下パネルの周縁が前記開口の縁部或いは前記風路部品と取り外し可能に接続されて、前記下パネルは前記送風口において前記風路部品とねじ接続されている下パネルとを含む、
エアコン室内機。
【請求項２】
前記下パネルの前後方向における両側と前記開口の両側縁部或いは風路部品の縁部との接続は、何れもスナップフィット、摺動係合接続、挿入接続のうちの一種類或いはそのうちの二種類のそれぞれ一つである請求項１に記載のエアコン室内機。
【請求項３】
前記下パネルの後側には挿入固定具を有し、前記開口の前記ベースの後側に近い縁部には挿入孔が設置されており、前記下パネルが前記開口を閉じた時、前記挿入固定具は前記挿入孔と挿嵌接続される請求項２に記載のエアコン室内機。
【請求項４】
前記下パネルの前側の内壁面には掛合孔が設けられており、前記フレーム或いは風路部品には対応するように留め具が設置されており、前記下パネルが前記開口を閉じた時、前記留め具は前記掛合孔内に掛合される請求項３に記載のエアコン室内機。
【請求項５】
前記下パネルの前側の内壁面には、間隔を置いて設置されている二つの係着板が突設されており、二つの前記係着板が囲んで前記掛合孔を形成し、前記フレーム或いは風路部品には間隔を置いて設置されている二つの支持台が突設されており、前記留め具は二つの前記支持台の先端に接続している請求項４に記載のエアコン室内機。
【請求項６】
各係着板は板状で平行に設置され、且つ二つの前記係着板の対向する表面上には何れも溝が凹設されていることにより、囲んで円形の前記掛合孔を形成する請求項５に記載のエアコン室内機。
【請求項７】
前記下パネルの前後方向における一方側と前記開口の一方側の縁部或いは風路部品の一方側の縁部とはねじ接続であり、前記下パネルの他方側と前記開口の他方側の縁部或いは風路部品の他方側の縁部とは挿入接続である請求項１に記載のエアコン室内機。
【請求項８】
前記下パネルの前側の内壁面にはロッキング固定具に穿設される第一ねじ孔が設けられ、前記フレームにはポストが突設され、前記ポストにはロッキング固定具に穿設される第二ねじ孔が開設されている請求項７に記載のエアコン室内機。
【請求項９】
前記下パネルの後側には挿入固定具を有し、前記開口の縁部には挿入孔が設けられ、前記挿入孔は前後方向に沿って延び、且つ前記挿入孔の開口は下側に向いており、前記挿入固定具は前記下パネルの内壁面から突設されて形成され、前記挿入固定具は後側へと傾いて設置され且つその端部は後側へ折り曲げられて、前記挿入固定具を前記挿入孔内に挿入することで、前記下パネルの上下方向における変位を制限する請求項７に記載のエアコン室内機。
【請求項１０】
前記下パネルの前後方向に沿う中部と前記開口の前後方向における中部の一方には、係着孔或いは挿入留め具が設置され、他方には前記係着孔と嵌合する係止具或いは前記挿入留め具と嵌合する掛着孔が対応して設置されている請求項１に記載のエアコン室内機。
【請求項１１】
前記下パネルの前後方向における中部にはそれぞれ対向して設置されている二つの立板が突設されており、前記二つの立板の向かい合う表面が共に前記係着孔を形成し、前記開口の前後方向における中部には係止溝が設置されており、且つ当該係止溝の側壁にはロッド状の係止具が接続され、前記立板は前記係止溝内に插入して設置されており、前記係止具は前記係着孔内に係着されている請求項１０に記載のエアコン室内機。
【請求項１２】
前記下パネルの送風口の周縁にはロッキング固定具に穿設される複数の第一ねじ山孔が設けられ、前記風路部品上にはロッキング固定具に穿設される複数の第二ねじ山孔が設けられている請求項１に記載のエアコン室内機。
【請求項１３】
前記下パネルの後側面は前記ベースに当接されているか、前記ベースの外壁面とは面一である請求項１に記載のエアコン室内機。
【請求項１４】
前記エアコン室内機はさらに熱交換器を含み、前記熱交換器は前記筐体内に取り付けられ、前記熱交換器には冷媒管が接続され、前記ベースには前記開口と連通する脱着口が開設され、前記冷媒管のジョイントは前記脱着口と前記開口とにより露出できる請求項１に記載のエアコン室内機。
【請求項１５】
前記下パネルには前記脱着口に対応するように退避孔が開設され、前記冷媒管上のジョイントは前記脱着口と退避孔とにより露出でき、前記退避孔の周縁には、前記退避孔と脱着口を開閉するために、蓋が取り外し可能に接続されている請求項１４に記載のエアコン室内機。
【請求項１６】
前記退避孔の外周縁には第一ロック構造が設置され、前記蓋の内側壁上には第二ロック構造が設置され、前記蓋は前記第一ロック構造と第二ロック構造との嵌合により、前記下パネルと取り外し可能に接続される請求項１５に記載のエアコン室内機。
【請求項１７】
前記エアコン室内機はさらに上パネルを含み、前記上パネルの一方側は前記フレームの上側に回動可能に接続され、他方側は前記下パネルと掛合接続されている請求項１に記載のエアコン室内機。
【請求項１８】
前記フレームの前側には取付口が開設され、前記上パネルは前記取付口を覆い、
及び／又は、前記上パネルの内側面には第一係合部が設置され、前記第一係合部は溝孔状を呈し、前記下パネルの外側壁には第二係合部が設置され、前記第二係合部は係着フック状を呈し、前記上パネルは前記第一係合部と前記第二係合部との係合接続嵌合によって前記下パネルと掛合接続される請求項１７に記載のエアコン室内機。
【請求項１９】
前記エアコン室内機はさらに導風組立品を含み、前記導風組立品は前記送風口の周縁に取り外し可能に接続され、
或いは、前記導風組立品は前記フレームに取り付けられ、且つ前記送風口と対向するように設置されている請求項１に記載のエアコン室内機。
【請求項２０】
エアコン室内機を含むエアコンであって、前記エアコン室内機は、
フレーム及び前記フレームの後部と接続されているベースを含み、前記フレームの下部には開口が開設されている筐体と、
前記ベースに取り付けられているとともに前記開口に露出している風路部品と、
前記風路部品と連通する送風口が開設されている下パネルであって、前記下パネルの周縁が前記開口の縁部或いは前記風路部品と取り外し可能に接続されて、前記下パネルは前記送風口において前記風路部品とねじ接続されている下パネルとを含む、
エアコン。
【発明の詳細な説明】
【関連出願】
【０００１】
本願は２０１８年１２月２９日に提出された、出願番号２０１８２２２７７３８８．６、発明名称「エアコン室内機及びエアコン」である中国特許出願の優先権を主張し、その全文を参考としてここに援用する。
【技術分野】
【０００２】
本願は空気調節機器の技術分野に関し、特にエアコン室内機及び当該エアコン室内機が応用されるエアコンに関する。
【背景技術】
【０００３】
従来の壁掛け式エアコンは通常、風路部品に直面する筐体を、取り外し不可能な構造に設定する。このような構造では、エアコンの使用時間が長くなり、風路の壁面と貫流ファンにほこりが沈積しやすい状況では、フレームを取り外さなければ、風路部品に対して拭き掃除をするスペースを作りにくい。それに、導風構造のモータに問題が起きた場合も、交換や修理は便利ではない。
【発明の概要】
【発明が解決しようとする課題】
【０００４】
本願の主な目的は、エアコン室内機の洗浄の利便性を向上させるためのエアコン室内機を提供することである。
【課題を解決するための手段】
【０００５】
上記目的を達成するために、本願が提供するエアコン室内機は、フレーム及び前記フレームの後部と接続されているベースを含み、前記フレームの下部には開口が開設されている筐体と、前記ベースに取り付けられているとともに前記開口に露出している風路部品と、前記風路部品と連通する送風口が開設されている下パネルであって、前記下パネルの周縁が前記開口の縁部或いは前記風路部品と取り外し可能に接続されて、前記下パネルは前記送風口において前記風路部品とねじ接続されている下パネルとを含む。
【０００６】
好ましくは、前記下パネルの前後方向における両側と前記開口の両側縁部或いは風路部品の縁部との接続は、何れもスナップフィット、摺動係合接続、挿入接続のうちの一種類、或いはそのうちの二種類のそれぞれ一つである。
【０００７】
好ましくは、前記下パネルの後側には挿入固定具を有し、前記開口の前記ベースの後側に近い縁部には挿入孔が設置されており、前記下パネルが前記開口を閉じた時、前記挿入固定具は前記挿入孔と挿嵌接続される。
【０００８】
好ましくは、前記下パネルの前側の内壁面には掛合孔が設けられており、前記フレーム或いは風路部品には対応するように留め具が設置されており、前記下パネルが前記開口を閉じた時、前記留め具は前記掛合孔内に掛合される。
好ましくは、前記下パネルの前側の内壁面には、間隔を置いて設置されている二つの係着板が突設されており、二つの前記係着板が囲んで前記掛合孔を形成し、前記フレーム或いは風路部品には間隔を置いて設置されている二つの支持台が突設されており、前記留め具は二つの前記支持台の先端に接続している。
【０００９】
好ましくは、各係着板は板状で平行に設置され、且つ二つの前記係着板の対向する表面上には何れも溝が凹設されていることにより、囲んで円形の前記掛合孔を形成する。
【００１０】
好ましくは、前記下パネルの前後方向における一方側と前記開口の一方側の縁部或いは風路部品の一方側の縁部とはねじ接続であり、前記下パネルの他方側と前記開口の他方側の縁部或いは風路部品の他方側の縁部とは挿入接続である。
好ましくは、前記下パネルの前側の内壁面にはロッキング固定具に穿設される第一ねじ孔が設けられ、前記フレームにはポストが突設され、前記ポストにはロッキング固定具に穿設される第二ねじ孔が開設されている。
【００１１】
好ましくは、前記下パネルの後側には挿入固定具を有し、前記開口の縁部には挿入孔が設けられ、前記挿入孔は前後方向に沿って延び、且つ前記挿入孔の開口は下側に向いており、前記挿入固定具は前記下パネルの内壁面から突設されて形成され、前記挿入固定具は後側へと傾いて設置され且つその端部は後側へ折り曲げられて、前記挿入固定具を前記挿入孔内に挿入することで、前記下パネルの上下方向における変位を制限する。
【００１２】
好ましくは、前記下パネルの前後方向に沿う中部と前記開口の前後方向における中部の一方には、係着孔或いは挿入留め具が設置され、他方には前記係着孔と嵌合する係止具或いは前記挿入留め具と嵌合する掛着孔が対応して設置されている。
【００１３】
好ましくは、前記下パネル前後方向における中部にはそれぞれ対向して設置されている二つの立板が突設されており、前記二つの立板の向かい合う表面が共に前記係着孔を形成し、前記開口の前後方向における中部には係止溝が設置されており、且つ当該係止溝の側壁にはロッド状の係止具が接続され、前記立板は前記係止溝内に插入して設置されており、前記係止具は前記係着孔内に係着されている。
【００１４】
好ましくは、前記下パネルの送風口の周縁にはロッキング固定具に穿設される複数の第一ねじ山孔が設けられ、前記風路部品上にはロッキング固定具に穿設される複数の第二ねじ山孔が設けられている。
【００１５】
好ましくは、前記下パネルの後側面は前記ベースに当接されているか、前記ベースの外壁面とは面一である。
【００１６】
好ましくは、前記エアコン室内機はさらに熱交換器を含み、前記熱交換器は前記筐体内に取り付けられ、前記熱交換器には冷媒管が接続され、前記ベースには前記開口と連通する脱着口が開設され、前記冷媒管のジョイントは前記脱着口と前記開口とにより露出できる。
【００１７】
好ましくは、前記下パネルには前記脱着口に対応するように退避孔が開設され、前記冷媒管上のジョイントは前記脱着口と退避孔とにより露出でき、前記退避孔の周縁には、前記退避孔と脱着口を開閉するために、蓋が取り外し可能に接続されている。
【００１８】
好ましくは、前記退避孔の外周縁には第一ロック構造が設置され、前記蓋の内側壁上には第二ロック構造が設置され、前記蓋は前記第一ロック構造と第二ロック構造との嵌合により、前記下パネルと取り外し可能に接続される。
【００１９】
好ましくは、前記エアコン室内機はさらに上パネルを含み、前記上パネルの一方側は前記フレームの上側に回動可能に接続され、他方側は前記下パネルと掛合接続されている。
【００２０】
好ましくは、前記フレームの前側には取付口が開設され、前記上パネルは前記取付口を覆い、及び／又は、前記上パネルの内側面には第一係合部が設置され、前記第一係合部は溝孔状を呈し、前記下パネルの外側壁には第二係合部が設置され、前記第二係合部は係着フック状を呈し、前記上パネルは前記第一係合部と前記第二係合部との係合接続嵌合によって前記下パネルと掛合接続される。
【００２１】
好ましくは、前記エアコン室内機はさらに導風組立品を含み、前記導風組立品は前記送風口の周縁に取り外し可能に接続され、或いは、前記導風組立品は前記フレームに取り付けられ、且つ前記送風口と対向するように設置されている。
【００２２】
本願はまたエアコン室内機を含むエアコンを提案する。前記エアコン室内機は、フレーム及び前記フレームの後部と接続されているベースを含み、前記フレームの下部には開口が開設されている筐体と、前記ベースに取り付けられているとともに前記開口に露出している風路部品と、前記風路部品と連通する送風口が開設されている下パネルであって、前記下パネルの周縁が前記開口の縁部或いは前記風路部品と取り外し可能に接続されて、前記下パネルは前記送風口において前記風路部品とねじ接続されている下パネルとを含む。
【００２３】
本願の技術案によれば、エアコン室内機の筐体の下部に開口を設けることで、風路部品は開口により外に露出され、当該開口には下パネルが取り外し可能に接続されており、下パネルを取り外すことで開口を開くことができる。これにより、風路部品を開口において露出させることで、容易かつ便利に風路部品の洗浄用に比較的大きいスペースを作って、脱着の効率を向上させることにより、洗浄の利便性を向上させる。同時に、下パネルの周縁は開口の縁部または風路部品と取り外し可能に接続されており、送風口において風路部品とねじ接続されている。これにより比較的密接な被覆を実現でき、下パネルの変形を防ぎ、取り付けの安定性を向上させ、風漏れを防止することにより、エアコン室内機の送風効果を改善できる。
【図面の簡単な説明】
【００２４】
本願実施例及び例示的技術の技術案をより明確に説明するため、以下では、実施例或いは例示的技術の説明に必要とされる添付図面を簡単に紹介する。下記説明における添付図面は本願の一部の実施例に過ぎないことは明らかであって、当業者にとって、創造的な労働を行わないことを前提に、これらの添付図面が示す構造により他の添付図面を得ることができる。
【図１】本願のエアコン室内機の第一実施例の立体構造模式図である。
【図２】図１におけるエアコン室内機の上パネルが開放状態にある構造模式図である。
【図３】図１におけるエアコン室内機の上パネルと下パネルが開放状態にある構造模式図である。
【図４】図１におけるエアコン室内機の正面構造模式図である。
【図５】図４のＡ−Ａ線に沿う断面図である。
【図６】図４のＢ−Ｂ線に沿う断面図である。
【図７】図４のＣ−Ｃ線に沿う断面図である。
【図８】図１におけるエアコン室内機の分解構造模式図である。
【図９】図１におけるエアコン室内機の下パネルの別の角度からの構造模式図である。
【図１０】本願のエアコン室内機の第二実施例の下パネルを取り外した立体構造模式図である。
【図１１】図１０におけるエアコン室内機の断面図である。
【図１２】図１０におけるエアコン室内機の下パネルの構造模式図である。
【図１３】本願のエアコン室内機の下パネルの別の実施例の分解構造模式図である。
【図１４】本願のエアコン室内機の第二実施例の下パネルを開いた立体構造模式図である。
【図１５】図１４に示すエアコン室内機の分解図である。
【図１６】図１４に示すエアコン室内機の下パネルの構造模式図である。
【図１７】図１４に示すエアコン室内機の正面図である。
【図１８】図１７のＤ−Ｄ線に沿う断面図である。
【図１９】図１７のＥ−Ｅ線に沿う断面図である。
【００２５】
添付図面を参照して、実施例と組み合わせて本願目的の実現、機能特徴及び長所をさらに説明する。
【発明を実施するための形態】
【００２６】
以下では、本願実施例における添付図面と組み合わせ、本願実施例における技術案を明確且つ完全に説明する。説明される実施例は本願の全ての実施例ではなく、本願の一部の実施例に過ぎないことは明らかである。本願における実施例に基づいて、当業者が創造的な労働を行わないことを前提に得られた全ての他の実施例は、本願の保護する範囲に属す。
【００２７】
本願実施例での全ての方向性指示は、ある特定の姿勢における各部品間の相対的位置関係、運動状況等を説明するためだけに設置され、もし当該特定の姿勢が変わる場合、当該方向性指示もそれ相当に変わることは説明すべきである。
【００２８】
本願において、別途明確な規定や限定がない限り、「接続」、「固定」などの用語は広義に理解されるべきである。例えば、「固定」は固定的な接続でもよく、取り外し可能な接続でもよく、或いは一体としてもよい。機械的な接続でもよく、電気的な接続でもよい。直接につながってもよく、中間にある媒介によって間接的につながってもよく、二つの素子内部の連通或いは二つの素子の相互作用関係であってもよい。当業者にとって、具体的な状況により上記用語の本願における具体的な意味を理解できる。
【００２９】
また、本願実施例において「第一」、「第二」等の説明は説明のために設置されるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもよい。また、各実施例の技術案はお互いに組み合わせることができる。ただし、当業者が実現できることが前提でなければならない。技術案の組み合わせに矛盾が生じるか、実現できない場合には、このような技術案の組み合わせが存在しない、且つ本願が請求する保護範囲にないと理解すべきである。
【００３０】
本願ではエアコン室内機６００を提案する。
【００３１】
本願の実施例において、図１から図１４に示すように、当該エアコン室内機６００は筐体１００、風路部品３００及び下パネル１２０を含み、前記筐体１００はフレーム１３０とフレーム１３０の後部と接続されているベース１１０を含み、前記フレーム１３０の下部には開口１３０ｂが設けられており、風路部品３００は前記ベース１１０に取り付けられているとともに前記開口１３０ｂに露出しており、前記下パネル１２０には前記風路部品と連通する送風口１２０ａが設けられており、前記下パネル１２０の周縁は前記開口１３０ｂの縁部或いは風路部品３００と取り外し可能に接続されて、前記下パネル１２０は前記送風口において前記風路部品３００とねじ接続されている。
【００３２】
本実施例では、エアコン室内機６００は筐体１００を含み、筐体１００は具体的に、ベース１１０とフレーム１３０を含み、フレーム１３０とベース１１０が囲んで取り付けチャンバーを形成し、取り付けチャンバー内には熱交換器２００と風路部品３００が取り付けられており、熱交換器２００は囲むように風路部品３００の上方に設置されている。ベース１１０のフレーム１３０から離れる表面には取り外し可能に壁掛け板（図示しない）が接続されて、エアコン室内機６００は壁掛け板を通して壁上に取り付けられる。本願におけるフレーム１３０の頂壁には吸気口１３０ａが設置されている。即ち、エアコン室内機６００は頂部から吸気する。エアコン室内機６００には取り付けチャンバーと連通する送風口１２０ａが設けられており、外の空気は吸気口１３０ａ経由で進入し、熱交換器２００における熱交換を経てから、風路部品３００の駆動により送風口１２０ａから吹き出される。本願における上下、左右及び前後方向について、エアコン室内機１００が正常に壁に取り付けられている場合で、吸気口１３０ａから送風口１２０ａに向かう方向を上下方向、壁からフレーム１３０に向かう方向を前後方向、エアコン室内機１００の長さ方向を左右方向とする。
【００３３】
フレーム１３０の下部には開口１３０ｂが設けられており、当該開口１３０ｂは風路部品３００と対応できる。風路部品３００はファン３３０、渦巻き形タン部、渦巻き形ケーシング３１０、渦巻き形ケーシング３１０に設置されているドレンパン及び導風組立品を含む。従って、下パネル１２０を開いた時、開口１３０ｂの内側に位置する風路部品３００を外に露出させることが可能である。外から内まで順に導風組立品、渦巻き形タン部、ドレンパン、渦巻き形ケーシング３１０及びファン３３０である。本願の渦巻き形ケーシング３１０の構造は、ベース１１０と一体構造になってもいいし、渦巻き形ケーシング３１０とベース１１０とは別体構造であるが一体に取り付けて固定されてもよい。熱交換器２００は少なくとも前方熱交換部２１０及び前方熱交換部２１０と協力して囲んで下に向かうフレア口を形成する後方熱交換部２２０を含み、後方熱交換部２２０は取り付けられる壁に近接しており、渦巻き形タン部は渦巻き形ケーシング３１０と協力して風路３２０を画成し、ファン３３０は風路３２０に位置し、風路３２０の入口は熱交換器２００が形成したフレア口と接し、風路３２０の出口は送風口１２０ｂと接し、ファン３３０の駆動の下で、外の風は吸気口１３０ａから進入して風路３２０を通り抜け、送風口１２０ａを経て吹き出される。
【００３４】
本願の渦巻き形ケーシング３１０上のドレンパンは前ドレンパン３１１と後ドレンパン３１３に分けられる。前ドレンパン３１１は前方熱交換部２１０の熱交換過程において生成された凝縮水を繋ぐように設置され、後ドレンパン３１３は後方熱交換部２２０の熱交換過程において生成された凝縮水を繋ぐように設置されている。しかも、ドレンパンの左右両端の少なくとも一端にはドレンホースが設置されており、ドレンパンのドレンホースには凝縮水をエアコン室内機６００から排出するように排水管が接続されている。ドレンホースは、排水管を脱着させる或いは修理する時により便利になるように、開口１３０ｂにも露出している。
【００３５】
その他に、エアコン室内機６００は更に、熱交換器２００の一端に設けられている電気制御ボックス４００を含む。エアコン室内機６００の導線接続を便利にするために、当該電気制御ボックス４００も開口１３０ｂに露出している。これにより下パネル１２０を開いて管路の洗浄或いは接続を行う時、導線の接続も便利になり、更に取り付けの効率を向上させる。
【００３６】
本願の技術案によれば、エアコン室内機６００の筐体１００の下部に開口１３０ｂを設けることで、風路部品３００は開口１３０ｂにより外に露出され、当該開口１３０ｂ或いは風路部品の縁部に下パネル１２０が接続されており、下パネル１２０を取り外すことで開口１３０ｂを開くことができる。これにより、風路部品３００を開口１３０ｂにおいて露出させることで、容易かつ便利に風路部品３００の洗浄用に比較的大きいスペースを作って、脱着の効率を向上させることにより、洗浄の利便性を向上させる。同時に、下パネル１２０の周縁は開口１３０ｂの縁部または風路部品３００と取り外し可能に接続されており、送風口１２０ｂにおいて風路部品３００とねじ接続されている。これにより比較的密接な被覆を実現でき、下パネル１２０の変形を防ぎ、取り付けの安定性を向上させ、風漏れを防止することにより、エアコン室内機６００の送風効果を改善できる。
【００３７】
図８と図１０を参照されたい。好ましくは、前記導風組立品５００は取り外し可能に前記送風口１２０ａの周縁に接続されている。
【００３８】
或いは、前記導風組立品５００は前記フレーム１３０に取り付けられ、且つ前記送風口１２０ａと対向するように設置されている。
【００３９】
本実施例では、導風組立品５００はルーバー組立品と導風板５１０を含む。ルーバー組立品は送風口１２０ａからの風の前後方向におけるガイドを実現できる。導風板５１０は回動可能にフレーム１３０或いは下パネル１２０に接続されることにより、送風口１２０ａからの風の上下方向におけるガイドを実現できる。両方が相まって送風効果を強化する。当該実施例において、ルーバー組立品はベース１１０上に取り付けられており、導風板５１０は送風口１２０ａの周縁に取り外し可能に接続されている。同時に、導風板５１０の一方側には駆動モータが接続されており、下パネル１２０を回動により開いた時、導風板５１０と駆動モータに対して修理あるいは洗浄を行えると同時に、ルーバー構造に対する洗浄或いは修理を便利にし、更に洗浄の利便性を向上させる。
【００４０】
図８と図１４を参照されたい。前記熱交換器２００には冷媒管２３０が接続されている。前記ベース１１０には脱着口１１３が設けられており、前記下パネル１２０には前記脱着口１１３に対応するように退避孔１２６が設けられている。前記冷媒管２３０のジョイントは前記脱着口１１３と退避孔１２６で露出できる。前記退避孔１２６の周縁には、前記退避孔１２６と脱着口１１３を開閉するために、蓋１５０が取り外し可能に接続されている。
【００４１】
熱交換器２００に接続されている冷媒管２３０でエアコン室内機６００と室外機の間で循環する冷媒流路を形成する。エアコン室内機６００の取り付け過程或いは日常メンテナンス過程において、管路を接続して洗浄等の操作を行う必要があり、例えば、エアコン室内機６００はエアコン室外機と接続して冷媒管循環回路を形成する必要がある。本願では、ベース１１０の底部にボトムプレート１１１が設置されており、ボトムプレート１１１には取り付けチャンバーに連通する脱着口１１３が設けられている。対応するように、下パネル１２０には退避孔１２６が設けられており、冷媒管２３０上の冷媒管ジョイントと排水管は何れも脱着口１１３と退避孔１２６で露出することができる。退避孔１２６を開閉して、さらに脱着口１１３を開閉するために、退避孔１２６の周縁には更に蓋１５０が接続されている。脱着口１１３はエアコン室内機６００の左右方向において細長く伸びると共に、脱着口１１３は少なくとも冷媒管２３０と排水管のジョイント部分を露出させられる必要がある。脱着口１１３のエアコン室内機６００の前後方向における幅は、人の手或いは道具が直接挿入されて冷媒管２３０と排水管に対して脱着作業を行うのに適する必要がある。
【００４２】
具体的に、退避孔１２６の外周縁には第一ロック構造が設置され、対応するように、蓋１５０の内側壁上には対応する第二ロック構造が設置されている。第一ロック構造と第二ロック構造の嵌合を通して、蓋１５０は取り外し可能に下パネル１２０に接続されるようになる。ここでは限定しないが、第一ロック構造と第二ロック構造は係合、挿入接続、回動接続方式、磁気吸着等でもよい。
【００４３】
勿論、ベース１１０に脱着口１１３が設けられている時、当該脱着口１１３は開口１３０ｂと連通することで、冷媒管２３０のジョイントも開口１３０ｂにより露出する。下パネル１２０に退避孔１２６を設けないで、下パネル１２０の脱着で管路を脱着させる目標を実現することもできる。
【００４４】
図３を参照されたい。好ましくは、前記送風口１２０ａの周縁には複数の第一ねじ山孔１２５が設けられており、前記風路部品３００上には対応する複数の第二ねじ山孔３１４が設けられている。ロッキング固定具は前記下パネル１２０と前記風路部品３００を接続するように、前記第一ねじ山孔１２５と第二ねじ山孔３１４内に穿設されている。
【００４５】
本実施例では、下パネル１２０とフレーム１３０との接続の安定性を増すために、送風口１２０ａの下周縁には少なくとも一つの第一ねじ山孔１２５が設けられ、風路部品３００のボトムプレート１１１上には対応する第二ねじ山孔３１４が設けられている。送風口１２０ａの位置は下パネル１２０の左右方向における中部位置にあるため、第一ねじ山孔１２５と第二ねじ山孔３１４に穿設されるロッキング固定具を使用することで、下パネル１２０とフレーム１３０の中部における接続が増え、両者の接続の安定性が向上し、下パネル１２０の上下両側の両端における接続による中部の比較的大きい隙間の発生により、送風量と送風効果に影響することを避けると同時に、下パネル１２０の変形を防止できる。
【００４６】
図３から図８、及び図１１から図１３を参照されたい。上記構造に基づいて、本願の一実施例において、前記下パネル１２０の前後方向における両側と前記開口１３０ｂの前後方向における両側の縁部或いは風路部品３００の両側縁部とはスナップフィット、摺動係合接続と挿入接続のうちの一種類或いはそのうちの二種類のそれぞれ一つである。
【００４７】
本実施例では、下パネル１２０の前後方向における両側は何れも係合、摺動係合或いは挿入接続方式で接続されている。スナップフィットはフックやボタンと孔の引掛け合い或いは係合であり、摺動係合接続もフックやボタンと孔の係合であり、フックやボタンの取り外し或いは取り付け時にはスライドする傾向があり、挿入接続方式は挿入板或いは挿入ロッドと孔の嵌合であり、直接締り嵌めで係止する。これらの接続方式が簡単且つスピーディで、下パネル１２０の脱着をより便利にする。ねじ接続を取り外した後で、力を加えて外へと回すと、下パネル１２０を取り外すことで、開口１３０ｂを露出できる。しかも両側とも係合或いは挿入接続の方式で接続することで、片側で反りが生じて封着が密着しない状況を避けることにより、下パネル１２０の取り付けをより安定させられる。その他に、ここでは限定しないが、下パネル１２０の両側とフレーム１３０或いは風路組立品３００との取り外し可能な接続は摺動係合接続、磁気吸着或いはねじ山接続等でもよい。
【００４８】
具体的な一実施例において、前記下パネル１２０の前側の内壁面には掛合孔１２２１が設けられており、前記フレーム１３０或いは風路部品３００には対応するように留め具３１１１が設置されている。前記下パネル１２０が前記開口１３０ｂを閉じた時、前記留め具３１１１は前記掛合孔１２２１内に掛合される。
【００４９】
本実施例では、下パネル１２０の前側は留め具３１１１と掛合孔１２２１の嵌合によりフレーム１３０或いは風路組立品３００上に係止され、下パネル１２０の他方側を押すことでそれを係合でき、簡単で便利になり、脱着の利便性を向上させる。勿論、下パネル１２０とフレーム１３０或いは風路組立品３００はさらに他の係合接続方式で、例えば、ラッチとスプリングキャッチ組立品の嵌合関係を通して、繰り返し押圧操作するだけでロックとロック解除の機能を実行でき、さらに時間と手間を省く。
【００５０】
具体的に、前記下パネル１２０の前側の内壁面には、間隔を置いて設置されている二つの係着板が突設されている。二つの前記係着板１２２が囲んで前記掛合孔１２２１を形成する。前記フレーム１３０或いは風路部品３００には二つの間隔を置いて設置されている支持台３１１３が突設されている。前記留め具３１１１は二つの支持台３１１３の先端を接続している。一つの前記係着板１２２は二つの支持台３１１３の間に挿入され、もう一つの係着板１２２は前記留め具３１１１に押し付けられることにより、前記留め具３１１１を前記掛合孔１２２１内に係合させる。
【００５１】
本実施例では、留め具３１１１と掛合孔１２２１の係止の安定性を向上させるために、下パネル１２０には係着板１２２が突設されている。何れの係着板１２２も板状で平行に設置され、且つ二つの係着板１２２の対向する表面上には何れも溝が凹設されている。これにより囲んで円形の掛合孔１２２１を形成する。その他に、下パネル１２０は風路部品３００の前ドレンパン３１１と接続されている。前ドレンパン３１１上には支持台３１１１が接続されている。二つの支持台３１１１も板状で平行に設置され、その平行する方向は二つの係着板１２２の平行する方向とは垂直である。これにより係着板１２２の両端は二つの支持台３１１３の間に係着され、下パネル１２０の左右方向に対して位置制限を行い、さらに下パネル１２０の取り付けの安定性を向上できる。これとともに、係着板１２２と支持台３１１３の設置により、下パネル１２０と前ドレンパン３１１の間で干渉を生じないようにでき、比較的よい被覆密封性を実現できる。
【００５２】
図５、図８、図１１と図１３を参照し、前記下パネル１２０の後側には挿入固定具１２１を有する。前記開口１３０ｂの前記ベース１１０の後側に近い縁部には挿入孔１３３が設置されている。前記下パネル１２０が前記開口１３０ｂを閉じた時、前記挿入固定具１２１は前記挿入孔１３３と挿嵌接続される。
【００５３】
本実施例では、下パネル１２０の後側とフレーム１３０を挿入接続することで、下パネル１２０を固定してから、下パネル１２０の前側を押圧することでスナップフィットを行うのを便利にできる。この接続方式では、使用者に比較的近い端を押圧するのは比較的便利であり、さらに下パネル１２０を脱着させる効率を向上させ、取り付けの習慣に比較的適する。具体的に、挿入孔１３３の開口は前側と下方に向いていることにより、挿入固定具１２１の挿入を便利にできる。また、挿入孔１３３は前後方向に沿って延び、挿入固定具１２１は細長い板状に設置されているため、挿入孔１３３内への挿入を便利にできる。挿入固定具１２１は下パネル１２０の内壁面から突設されている。挿入固定具１２１は後側へと傾き、その端部は後側へと階段状に折り曲げられて、これにより、下パネル１２０の他方側の掛合を便利にするように、挿入時に下パネル１２０とフレーム１３０の間に、ある角度を開く空間を保てる。当該構造でさらに脱着の利便性を向上させることにより、洗浄の利便性を向上できる。挿入固定具１２１を挿入孔１３３内に挿入することで、下パネル１２０の上下方向への変位を制限できる。その他に、挿入固定具１２１は別の実施例の構造でもよい。挿入孔１３３の開口は下方に向いており、前後方向に沿って延びる。挿入固定具１２１は下パネル１２０に突設され、挿入孔１３３と対応するように後側方向へ延び、その端部でフック状を呈し、挿入固定具１２１が挿入孔１３３に挿入された時、その端部は挿入孔１３３の縁部に引っかかることができる。この構造は比較的簡単で、脱着が便利である。勿論、下パネル１２０の前側が挿入接続で、後側が係合接続でもよい。
【００５４】
図１４から図１９を参照し、本願のさらに別の実施例において前記下パネル１２０の前後方向における一方側と前記開口１３０ｂの一方側の縁部或いは風路部品３００の一方側の縁部とはねじ接続であり、前記下パネル１２０の他方側と前記開口１３０ｂの他方側の縁部或いは風路部品３００の他方側の縁部とは挿入接続である。
【００５５】
本実施例では、下パネル１２０の前後方向の一方側をねじ接続、他方側を挿入接続にすることで、脱着の効率を保証すると同時に、下パネル１２０に対する取り付けの安定性を増し、接続の変形を避け、従って下パネル１２０の接続構造の使用時間を伸ばすことができる。
【００５６】
具体的に、前記下パネル１２０前側の内壁面にはロッキング固定具に穿設される第一ねじ孔１２９が設けられ、前記フレーム１３０にはポスト１３５が突設され、前記ポスト１３５にはロッキング固定具に穿設される第二ねじ孔１３５１が設けられている。
【００５７】
本実施例では、ポスト１３５の設置により、比較的長いねじで接続できる。これによりねじ接続の安定性を強化できる。第一ねじ孔と第二ねじ孔は通り孔でもよく、ねじ山孔でもよい。ポスト１３５の個数については、複数設置されており、エアコン室内機６００の長さ方向に沿って均一に配置されている。対応するように、第一ねじ孔１２９も複数設置されている。これによりさらに下パネル１２０の取り付けの安定性を向上させる。
【００５８】
下パネル１２０の後側の挿入接続構造は上記実施例における挿入固定具１２１と挿入孔１３３を参考できる。挿入孔１３３の開口は下方に向いており、前後方向に沿って延びている。挿入固定具１２１は下パネル１２０の表面に突設され、挿入孔１３３と対応するように後側方向へ延びて、その端部でフック状を呈し、挿入固定具１２１が挿入孔１３３に挿入された時、その端部は挿入孔１３３の縁部に引っかかることができる。この構造は比較的簡単で、脱着が便利であり、接続構造が安定している。勿論、挿入接続構造は上記実施例における構造以外の構造でもよい。
【００５９】
上記二つの実施例に基づいて、好ましい実施例では、前記下パネル１２０の前後方向における中部と前記開口１３０ｂの前後方向における中部の一方には、係着孔１２３或いは挿入留め具１２７が設置され、他方には前記係着孔１２３と嵌合する係止具１３４或いは前記挿入留め具と嵌合する掛着孔１３７が設置されている。
【００６０】
本実施例では、下パネル１２０の前後方向の両側が何れもフレーム１３０と接続されているため、前後方向における中部の接続を加えるために、係着孔１２３と係止具１３４との係合接続を設置することにより、さらに下パネル１２０の接続安定性を向上させ、隙間による風路３２０組立品の送風への影響を避けられる。勿論、挿入留め具１２７と掛着孔１３８とが嵌合される構造、例えば循環ロッキング係合等でもよい。
【００６１】
具体的に、下パネル１２０の前後方向における中部にはそれぞれ対向して設置されている二つの立板が設けられている。前記二つの立板の向かい合う表面が共に前記係着孔１２３を形成する。前記開口１３０ｂの前後方向における中部には係止溝が設置されており、且つ当該係止溝の側壁にはロッド状の係止具１３４が接続されている。前記立板は前記係止溝内に插入して設置されており、前記係止具１３４は前記係着孔１２３内に係着されている。この構造の係合は僅かな押圧を加えるだけで実現でき、円柱形を呈する係止具１２４と嵌合の相手である円形の係着孔１２３も下パネル１２０を取り外す時により省力化でき、効率を向上できる。
【００６２】
或いは、対応する下パネル１２０の前後方向の両端の中部には挿入留め具１２７が設けられ、対応するフレーム１３０は開口１３０ｂの周縁に掛着孔１３７が設けられている。挿入留め具１２７は下パネル１２０の内表面に突設され、挿入留め具１２７は前側に向かって傾いて且つその端部は前へ折り曲げて設置されている。掛着孔１３７は前後方向に沿って延びて、下パネル１２０は開口１３０ｂを覆っている。挿入留め具１２７は掛着孔１３７内に挿入されて且つその端部は前記掛着孔１３７の前側のエッジに引っかかっている。
【００６３】
本実施例では、挿入留め具１２７は前側へ傾いて且つその端部は前へ折り曲げられるように設置されている。挿入留め具１２７は掛着孔１３７内に挿入されて、且つその端部は掛着孔１３７の前側のエッジに引っかかっていることにより、下パネル１２０の上下方向の自由端を制限できる。これと同時に、挿入留め具１２７と挿入固定具１２１の傾く方法は反対であり、下パネル１２０がフレーム１３０に係止されている時、挿入留め具１２７と挿入固定具１２１は互いに支える力を加えることにより、下パネル１２０の前後方向における移動を制限し、さらに下パネル１２０の構造安定性を向上させ、且つ下パネル１２０の左右方向の中部の接続安定性を強化できる。
【００６４】
その他に、上記の何れか一つの実施例に基づいて、構造安定性をさらに向上させるために、下パネル１２０の内側面にはさらに複数の係合構造が設けられている。下パネル１２０の全ての箇所の接続構造の安定性を保証すると同時に、下パネル１２０の変形の発生を防ぎ、エアコン室内機６００の安定性を向上させるように、その中の係合構造は上記実施例のうちの一種類の構造或いは複数種類の構造の組み合わせを参照できる。
【００６５】
図２、図３と図７を参照し、前記エアコン室内機６００はさらに上パネル１４０を含み、前記上パネル１４０の一方側は前記フレーム１３０の上側に回動可能に接続され、他方側は前記下パネル１２０と掛合接続されている。
【００６６】
本実施例では、フレーム１３０の前側には取付口が設けられ、当該上パネル１４０が取付口を覆うことにより、保護と装飾の効果を果たす。勿論、フィルタ組立品が設置されているエアコン室内機６００はこの取付口を通して脱着を行える。脱着の実現を便利にするために、上パネル１４０とフレーム１３０との接続は回動接続であり、後ろから前へ向かう方向で開くことができる。上パネル１４０を取付口に覆い被せた時、上パネル１４０の他方側は下パネル１２０と掛合される。具体的な掛合方式については、係合、ロッキング係合、磁気吸着等でもよい。当該実施例において、上パネル１４０の内側面には第一係合部１４２が設置されており、当該第一係合部１４２は溝孔状を呈している。下パネル１２０の外側壁には第二係合部１２８が設置されており、第二係合部１２８は係着フック状を呈しいる。これにより、上パネル１４０を軽く押圧するだけで両者のロッキング固定を実現でき、簡単で便利である。勿論、上パネル１４０はフレーム１３０と掛合接続し、下パネル１２０の縁部とはただつなぎ合わせられるように設置されてもよい。
【００６７】
図１と図２を参照し、前記上パネル１４０の両端には前記フレーム３０の外側壁を包む被覆縁部１４１が設置されている。前記下パネル１２０の両端には、前記フレーム１３０に向かう方向に折り返し縁部１２４が突設されている。前記下パネル１２０が前記開口１３０ｂを覆う時、前記折り返し縁部１２４の外壁面は前記被覆縁部１４１の外壁面とは面一になる。
【００６８】
或いは、前記下パネル１２０の両端面は前記フレーム１３０の外壁面とは面一になる。
【００６９】
本実施例では、下パネル１２０はフレーム１３０の開口１３０ｂ全体を遮ることができる。当該開口１３０ｂはフレーム１３０の下側空間全体と前側空間の一部を含むので、下パネル１２０の後側面は直接ベース１１０の外壁面に当接されることにより、開口１３０ｂを完全に遮る役割を果たす。勿論、下パネル１２０の後側面もベース１１０の外壁面とは面一になることで、壁或いは壁掛け板に直接当接できる。下パネル１２０の左右方向の両端面はフレーム１３０の外壁面と面一でもいいし、フレーム１３０の外壁面を包むようにしてもよい。具体的に、下パネル１２０の左右方向の両端面には折り返し縁部１２４が設置され、当該折り返し縁部１２４は下パネル１２０の両端がフレーム１３０の方向へ折り曲げられて延びることにより形成されている。この折り返し縁部１２４の内壁面はフレーム１３０の外壁面に当接されて被覆構造を形成する。これにより、一方では被覆の密封性を向上でき、他方ではこの折り返し縁部１２４により、左右方向のズレによる回動の不具合を避けて、回動の安定性を実現できる。これに対応して、上パネル１４０の両端にも被覆縁部１４１が設置されている。この被覆縁部１４１も回動をガイドする効果を提供でき、密接に密封できる。上パネル１４０を取付口に覆い被せた時、被覆縁部１４１の外壁面と折り返し縁部１２４の外壁面とが面一になり、外観において比較的美しくし、さらに吻合接続の密着性を提供する。
【００７０】
本願は更に、エアコン室内機６００及びエアコン室内機６００と接続されている室外機を含むエアコンを提案した。当該エアコン室内機６００の具体的な構造については、上記実施例を参照されたい。本エアコンは上記全ての実施例の全ての技術案を採用したので、少なくとも上記実施例の技術案がもたらす全ての有益効果を有し、ここでは逐一贅言しない。
【００７１】
以上に述べたことは本願の好ましい実施例に過ぎず、それによって本願の特許の範囲を制限するわけではない。本願の発明構想の下で、本願の明細書及び添付図面の内容を利用してなされた等価構造変換、或いは他の関連する技術分野への直接／間接的な応用は、何れも本願の特許の保護範囲に含まれる。
【符号の説明】
【００７２】
１００  筐体
１１０  ベース
１１１  ボトムプレート
１１３  脱着口
１２０  下パネル
１２０ａ  送風口
１２１  挿入固定具
１２２  係着板
１２２１  掛合孔
１２３  係着孔
１２４  折り返し縁部
１２５  第一ねじ山孔
１２６  退避孔
１２７  挿入留め具
１２８  第二係合部
１２９  第一ねじ孔
１３０  フレーム
１３０ａ  吸気口
１３０ｂ  開口
１３３  挿入孔
１３４  係止具
１３５  ポスト
１３５１  第二ねじ孔
１３７  掛着孔
１４０  上パネル
１４１  被覆縁部
１４２  第一係合部
１５０  蓋
２００  熱交換器
２１０  前方熱交換部
２２０  後方熱交換部
２３０  冷媒管
３００  風路部品
３１０  渦巻き形ケーシング
３１１  前ドレンパン
３１１１  留め具
３１１３  支持台
３１３  後ドレンパン
３１４  第二ねじ山孔
３２０  風路
３３０  ファン
４００  電気制御ボックス
５００  導風組立品
５１０  導風板
６００  エアコン室内機
【図１】
2021513044.tif 000003
【図２】
2021513044.tif 000004
【図３】
2021513044.tif 000005
【図４】
2021513044.tif 000006
【図５】
2021513044.tif 000007
【図６】
2021513044.tif 000008
【図７】
2021513044.tif 000009
【図８】
2021513044.tif 000010
【図９】
2021513044.tif 000011
【図１０】
2021513044.tif 000012
【図１１】
2021513044.tif 000013
【図１２】
2021513044.tif 000014
【図１３】
2021513044.tif 000015
【図１４】
2021513044.tif 000016
【図１５】
2021513044.tif 000017
【図１６】
2021513044.tif 000018
【図１７】
2021513044.tif 000019
【図１８】
2021513044.tif 000020
【図１９】
2021513044.tif 000021
【国際調査報告】
2021513044.tif 000022
2021513044.tif 000023
2021513044.tif 000024
2021513044.tif 000025
2021513044.tif 000026
2021513044.tif 000027